(57)【要約】【課題】  トレーが出入りする為のフロント側開口に回転ドアを取付けたディスク装置であって、トレーの前進・後退動に伴って回転ドアが開閉することが出来るようにしたディスク装置の提供。【解決手段】  回転ドア１２の正面板両側には支持部１５，１５を後方へ延ばして設けると共に該支持部１５，１５の中間部位には軸１６，１６を外方向へ突出し、そして支持部先端には凸部１７を内側へ設けている。一方、上記トレー１１の側面には前端部領域の湾曲溝２１と後方へ一直線状に延びる直線溝２２とが連続したガイド溝２０を形成し、上記開口１３には回転ドア１２を両軸１６，１６を介して回転可能に軸支すると共に、支持部先端の凸部１７をガイド溝２０に遊嵌している。【選択図】    図６
2005267777.tif 000002
【特許請求の範囲】
【請求項１】
トレーが出入りする為のフロント側開口に回転ドアを取付けたディスク装置において、回転ドアの正面板両側には支持部を後方へ延ばして設けると共に該支持部の中間部位には軸を外方向へ突出し、そして支持部先端には凸部を内側へ設け、一方、上記トレーの側面には前端部領域の湾曲溝と後方へ一直線状に延びる直線溝とが連続したガイド溝を形成し、上記開口には回転ドアを両軸を介して回転可能に軸支すると共に、支持部先端の凸部をガイド溝に遊嵌したことを特徴とする回転ドアを備えたディスク装置。
【請求項２】
上記トレー側面の湾曲溝形状を、トレー上面付近へ立ち上がるように滑らかに形成した請求項１記載の回転ドアを備えたディスク装置。
【発明の詳細な説明】
【技術分野】
【０００１】
本発明はトレーが出入りする為の入口に回転ドアを備えたディスク装置に関するものである。
【背景技術】
【０００２】
ＤＶＤなどのディスクにデータを記録する場合、又記録されているデータを再生する場合にはディスク記録再生装置が使用されるが、ターンテーブルにディスクを載置して高速回転する。そしてディスク上の情報トラックに情報読み取り用ビームが追従するようにトラッキング制御を行うと共に、情報トラックに正確にビームスポットを形成するようにフォーカス制御を行い、確実に情報の記録・再生が行われる。
【０００３】
ところで、ディスクをターンテーブルに載置するには、スライド前進・後退動するトレーが使用される場合が多く、キャビネットの正面パネルからスライドして突出するトレーにディスクを載せた状態で、該トレーが後退することで上記ターンテーブルに載置される。トレーはフロントパネルに形成した開口から出入りすることが出来る。
【０００４】
ところが、トレーが後退してディスク装置のフロント部開口が閉じた状態では、該開口とトレー間に隙間が発生する。すなわち、フロント部及びトレーの寸法誤差、トレーの取付け誤差などによって隙間が発生し、これがディスク装置の外観を損なうことになる。そこで、フロント部に形成している開口にドアを取付けて、隙間をなくすように構成したディスク装置が知られている。すなわち、ドアを開口に取付けることでディスク装置の外観を向上している。
【０００５】
ところで、従来のドアはトレーの出入によって開口を開閉することが出来るが、一般的な構造はコイルバネが取付けられて、常に閉じるようにバネ力が付勢され、トレーが突出することで該ドアを押し開くように作動することが出来る。すなわち、閉じる方向のバネ力が常時付勢されることで、トレーの出入に際してはドアに接触してスライドしなくては成らず、摩擦抵抗が発生する。結果的に、モーターの負荷が増大し、消費電力は大きくなる。
【０００６】
図１１は従来の回転ドア１の外観を示している。回転ドア１は長方形の正面板２の裏面両側に概略Ｌ型をした支持部３，３を設け、該支持部３，３の先端には軸４，４を外方向へ突出している。又、正面板２の裏面両側部には三角形をしたガイド部５，５を有し、開口から突出するトレー先端がガイド部５，５に当って回転ドア１が押し開かれる。
【０００７】
図１２は上記回転ドア１をディスク装置のフロント部トレー開口に取り付けた場合であり、(ａ)は背面図、(ｂ)は断面図を示している。フロント部７の内側であって開口の下方には軸受け６，６が設けられ、この軸受け６，６に軸４，４を取付けるには、両支持部３，３を内側へ撓ませて軸受け穴に嵌める。そして、一方の支持部３の係止部８にはコイルバネ９が取付けられ、該コイルバネ９はフロント部７の内側に設けた係止部１０と連結し、回転ドア１が常に閉じる方向にバネ力が付勢される。
【０００８】
図１３は回転ドア１が開いた場合を示しているが、トレーに押されて開く際には軸４，４を中心として回転ドア１が前方向に回転し、コイルバネ９は引き伸ばされる。このような取付け構造とする場合、上記コイルバネ９が係止部８，１０から外れたり、破損した際にはディスク装置の内部に混入して基板上の電子部品とコイルバネ９とが接触してショートする原因となる。一方、同図のように回転ドア１が開いてトレーが突出してディスク交換位置にある場合、該トレー上にディスクをセットする際には開口の隙間からディスク装置の奥に誤挿入される虞がある。
【０００９】
特開平１１−１４９６９０号に係る「ディスクドライブ装置における扉開閉機構」は、扉をフロントパネルに回動自在に支持し、可動側部材に支持されると共に扉の被操作部に接しこれを押圧することにより扉を回動させる操作部材を有し、操作部材が弾発手段を介して扉の被操作部と弾接するようにしている。
【００１０】
また、特開２００２−３３４５６６号に係る「ディスクプレーヤ」は、テレビジョン一体型ＤＶＤ用フロントパネルの開口部に配置した開閉ドアが、該開閉ドアに突設した支軸を中心に開閉可能に形成され、支軸に巻回したバネにより開閉ドアが常時閉鎖方向に付勢されており、ＤＶＤ用トレイを前進させることにより、該トレイが開閉ドアをバネに抗して押し開いて前方に突出され、そのトレイに対してディスクを着脱するようにしたディスクプレーヤにおいて、支軸にフロントパネルの裏面に設けたストッパに当接することにより開閉ドアをバネに抗して閉鎖状態に保持する当接部が設けられ、該当接部のストッパ対向面に不織布製緩衝材が貼着されている。
【００１１】
特開２００３−８５９５６号に係る「ディスクプレーヤ」は、開閉ドアに一体突設した位置決め片の端縁に当接又は接近することにより該開閉ドアの左右方向への横揺れ幅をその開閉ドアのバネ側端縁とそれに対向する開口部の端縁との間の隙間の幅よりも小さく設定する位置決め突起部がフロントパネルの裏面の突設され、位置決め突起部の位置決め片に対向する側縁が後方に向かって該位置決め片から離間するようにテーパー状に形成され、位置決め片の前面に対向してフロントパネルの裏面にストッパーが突設され、該ストッパーに対向して位置決め片の前面に緩衝材が貼着されている。
【００１２】
これらの他に、バネ力にて開閉するドアを備えたディスク装置は色々あり、特開２０００−３３１４０７号に係る「カートリッジを用いたディスクローディング装置」、特開２００１−５２４０３号に係る「記録媒体の再生装置」、特開２００１−８４７４９号に係る「ドアを備えた収納装置」などが知られており、これらのドア開閉にはバネが用いられている。
【特許文献１】特開平１１−１４９６９０号に係る「ディスクドライブ装置における扉開閉機構」
【特許文献２】特開２００２−３３４５６６号に係る「ディスクプレーヤ」
【特許文献３】特開２００３−８５９５６号に係る「ディスクプレーヤ」
【特許文献４】特開２０００−３３１４０７号に係る「カートリッジを用い    たディスクローディング装置」
【特許文献５】特開２００１−５２４０３号に係る「記録媒体の再生装置」
【特許文献６】特開２００１−８４７４９号に係る「ドアを備えた収納装    置」
【発明の開示】
【発明が解決しようとする課題】
【００１３】
このように、従来のディスク装置には上記のごとき問題がある。本発明が解決しようとする課題はこれら問題点であり、バネ力を利用することなくトレーの開閉動作(前進・後退動)に追従して開閉することが出来ると共に、ディスクをトレーにセットする際に装置内部へ誤挿入することがないようにした回転ドアを備えたディスク装置を提供する。
【課題を解決するための手段】
【００１４】
本発明のディスク装置の回転ドアは正面板の裏面両側に支持部を設け、該両支持部を介してフロント板に設けた開口に回転可能に軸支され、そして支持部先端には凸部を内側へ突出している。ドアの正面板は開口に嵌って閉鎖し、トレーが突出して前進する場合には上方へ回転することが出来、逆にトレーが後退する場合には逆回転して開口が閉じられる。
【００１５】
そこで、一方のトレーにはその側面にガイド溝が形成され、このガイド溝に上記支持部先端に形成した凸部が遊嵌する。ガイド溝はトレーが開口から突出する際にドアが回転して開くことが出来るように前端部領域で湾曲し、その他の領域では一直線状に延びる直線溝と成っている。しかも、トレーが開口から突出する際には、該回転ドアがトレーの上方へ回転して開くような湾曲溝形状と成っている。
【発明の効果】
【００１６】
本発明のディスク装置は、フロント開口に回転ドアが取付けられ、該回転ドアはトレーの突出に伴って開くことが出来る。すなわち、トレーの側面に形成したガイド溝に回転ドア支持部に設けた凸部が遊嵌し、トレーがスライドして突出することで凸部が湾曲したガイド溝に沿って動く為に回転ドアはスムーズに開くことが出来る。そして、トレーが装置内へ後退・収納されるならばスムーズに閉じることが出来る。
【００１７】
このように、回転ドアはトレーの動きに伴って開閉するもので、該回転ドアだけが外力によって開くことはなくてロック機能の役割を果たし、ディスクの二重挿入を防止すると共に、他の異物混入も防止すことが出来る。また、ドアを開く際にバネ力がトレーに作用することがない為に、すなわち、トレーのガイド溝には凸部が遊嵌するが摩擦抵抗は殆どなく、トレーのスライド運動に伴う負荷は小さくなり、消費電力の削減を図ることが出来る。勿論、バネを必要としない分だけ部品点数の削減となる。
【００１８】
そして、回転ドアは上方へ回転して開く為に、突出したトレーの上側には該回転ドアが位置して開口との間に大きな隙間を残すことはなく、その為に該トレーにディスクをセットする際には、誤って装置内へ誤挿入することを防止出来る。従って、トレーの上面に誤挿入防止突片を必ずしも設ける必要はない。
【実施例】
【００１９】
図１は本発明のディスク装置を示している斜視図であり、トレー１１が途中まで前進(突出)している状態を示している。トレー１１の上面には円形の浅い溝が形成されていて、該溝にディスクが嵌ってセットされる。又下面側にはトレーラックが前後方向に設けられ、該トレーラックに沿って概略Ｌ型のトレーガイド溝を設けている。そしてトレーラックにはトレー開閉ギアが噛み合い、トレー開閉ギアの回転にてトレー１１は前進・後退動する。
【００２０】
そして、本発明のディスク装置には回転ドア１２がフロント板開口１３に取付けられ、トレー１１が前進するならば同図に示すように開き、トレー１１が後退して収納されることで開口１３を閉じることが出来る。開口１３に取付けられた回転ドア１２は、閉じた際に該開口１３との間に隙間が残らないように閉じることが出来、ディスク装置の正面側外観を損なうことがないようにしている。
【００２１】
図２は回転ドア１２を示す斜視図を表している。回転ドア１２は長方形の正面板１４の背面両側に支持部１５，１５を設けている。そして、支持部１５，１５は先を細くした概略三角形を成し、中間部位には軸１６，１６を外方向へ突出している。又、片側支持部１５の先端には円形断面の凸部１７が内側へ突出している。
【００２２】
図３はトレー１１を表し、同図の点線は回転ドア１２を示している。該トレー１１は概略長方形を成し、上面にはディスクがセットされる円形凹部１８が形成され、そして片方の側面１９にはガイド溝２０が設けられている。ガイド溝２０は一定幅を成してトレー前端から後方へ延び、大部分は上面に平行な直線溝であるが、前端部領域では湾曲溝と成っている。すなわち、前端部領域ではトレー上面側へ滑らかに湾曲して延びている。
【００２３】
ところで、このガイド溝２０には回転ドア１２の支持部１５に設けている凸部１７が遊嵌し、その為にトレー１１の前進・後退動に伴って回転ドア１２は回転して開口１３を開閉することが出来る。すなわち、両軸１６，１６を介して軸支された回転ドア１２は、トレー１１の前進・後退動に伴って凸部１７がガイド溝２０に拘束されて回転する。このように、回転ドア１２の動きはトレー１１によって規制され、該回転ドア１２はトレー１１から独立して開閉することは出来ない。
【００２４】
図４はトレー１１が後退してディスク装置内に収納されている場合を示し、図５はトレー１１が前進してディスク交換位置にある場合を示している。回転ドア１２は支持部１５，１５に設けている両軸１６，１６を介して開口１３に取付けられ、片方の支持部１５に設けている凸部１７は上記トレー１１のガイド溝２０に遊嵌している。ガイド溝２０はトレー１１の上面と平行を成して一直線状に延びているが、前端部領域においては上面付近に湾曲して立ち上がっている。
【００２５】
この前端部領域での立ち上がり湾曲溝は、回転ドア１２が開口１３を閉じることが出来るように形成され、その他の領域では回転ドア１２を開くことが出来る位置で上面と平行を成して直線状に延びている。本発明では、トレー１１の前端部領域にてガイド溝が上面付近に立ち上がる湾曲形状に成っている為に、トレー１１が図５のように前進スライドするならば、湾曲溝から直線溝へ凸部１７が移行して、回転ドア１２はトレー１１の上側へ回転して開口１３が開かれる。
【００２６】
図５はトレー１１が前進してディスク交換位置にあるが、上方へ回転した回転ドア１２はトレー上面と開口間の隙間をほぼ塞ぎ、ディスクを円形凹部１８にセットする場合にディスク装置内へ誤挿入することはない。すなわち、回転ドア１２の正面板１４に当たって誤挿入が防止される。図６(ａ)〜(ｄ)は回転ドアの開き動作を示している。
(ａ)は前記図４の場合と同じで、開口１３は回転ドア１２によって閉じられている。図７は図６(ａ)の拡大図である。
(ｂ)はトレー１１が僅かに前進スライドした場合であり、凸部１７が湾曲溝２１に沿って動くことで回転ドア１２は僅かに回転する。図８は図６(ｂ)の拡大図である。
(ｃ)はトレー１１がさらに前進スライドするならば、凸部１７は湾曲溝２１と直線溝２２の境界付近に位置し、回転ドア１２はほぼ全開する。図９は図６(ｃ)の拡大図である。
(ｄ)は回転ドア１２が全開した場合を示し、凸部１７は直線溝２２に位置している。図１０は図６(ｄ)の拡大図である。
この後は、トレー１１が前進スライドしても回転ドア１２は開いたまま保たれる。
【図面の簡単な説明】
【００２７】
【図１】ディスク装置の正面側斜視図。
【図２】回転ドアの斜視図。
【図３】トレーの斜視図。
【図４】トレーが収納されて回転ドアが閉じている場合。
【図５】トレーが前進して回転ドアが開いている場合。
【図６】回転ドアの開き動作。
【図７】図６(ａ)の拡大図。
【図８】図６(ｂ)の拡大図。
【図９】図６(ｃ)の拡大図。
【図１０】図６(ｄ)の拡大図。
【図１１】従来の回転ドア。
【図１２】従来の回転ドアの取付け構造。
【図１３】従来の回転ドアが開いた場合。
【符号の説明】
【００２８】
11  トレー
12  回転ドア
13  開口
14  正面板
15  支持部
16  軸
17  凸部
18  円形凹部
19  側面
20  ガイド溝
21  湾曲溝
22  直線溝
【図１】
2005267777.tif 000003
【図２】
2005267777.tif 000004
【図３】
2005267777.tif 000005
【図４】
2005267777.tif 000006
【図５】
2005267777.tif 000007
【図６】
2005267777.tif 000008
【図７】
2005267777.tif 000009
【図８】
2005267777.tif 000010
【図９】
2005267777.tif 000011
【図１０】
2005267777.tif 000012
【図１１】
2005267777.tif 000013
【図１２】
2005267777.tif 000014
【図１３】
2005267777.tif 000015